(57)【特許請求の範囲】
【請求項１】
輻射ヒータを内蔵した定着器と、
前記定着器の温度を検出可能な第一検出部と、
交流電源から直流電圧を生成し降圧して、前記輻射ヒータに印加可能なヒータ用電源回路と、
前記第一検出部の検出結果に基づきデューティ比を決定し、決定したデューティ比で前記ヒータ用電源回路の出力電流をＰＷＭ制御する制御部と、
前記ヒータ用電源回路への入力電流の検出可能な第二検出部と、を備え、
前記制御部は、前記第二検出部の検出結果と、前記輻射ヒータにおける電流と電圧との関係と、決定したデューティ比とから、前記輻射ヒータへの入力電圧を求め、求めた入力電圧に基づき、画像形成装置の動作を制御する、画像形成装置。
【請求項２】
前記第二検出部の検出結果から、前記交流電源の周期よりも長い周期で実効値または平均値を求める平滑回路をさらに備える、請求項１に記載の画像形成装置。
【請求項３】
前記制御部は、前記輻射ヒータの抵抗変化が安定した後に、前記第二検出部の検出結果と、前記輻射ヒータにおける電流と電圧との関係と、前記予め定められたデューティ比とから、前記輻射ヒータへの入力電圧を求める、請求項１または２に記載の画像形成装置。
【請求項４】
前記第二検出部は、前記ヒータ用電源回路への入力交流電流、および、前記ヒータ用電源回路で生成された直流電流のいずれかを検出可能に配置される、請求項１〜３のいずれかに記載の画像形成装置。
【請求項５】
前記輻射ヒータの入力電圧をＶｉｎとし、前記第二検出部の検出結果から得られる前記輻射ヒータの入力電流をＩｉｎｈとし、前記輻射ヒータの定格入力電圧として既知のＶｉｎｒを印加した時の定格入力電流を既知のＩｉｎｒとし、前記ヒータ用電源回路の電源効率を既知のηｈとし、前記予め定められたデューティ比をＤとする時、
前記Ｖｉｎは、
【数１】
0006524435.tif 000004
で求められる、請求項１〜４のいずれかに記載の画像形成装置。
【請求項６】
前記第二検出部は、前記ヒータ用電源回路への入力電流の制御に用いられる、請求項１〜５のいずれかに記載の画像形成装置。
【請求項７】
前記輻射ヒータに定格入力電圧を印加して予め測定された入力電流値を、前記定格入力電流Ｉｉｎｒとして用いる請求項５または６に記載の画像形成装置。
【請求項８】
前記ＰＷＭ制御は、パルス幅が等間隔なＰＷＭ制御であって、前記輻射ヒータへの入力電圧と入力電流との間の力率が１００％となる、請求項１〜７のいずれかに記載の画像形成装置。
【請求項９】
前記輻射ヒータ以外の負荷に印加される電圧を生成する低圧電源回路をさらに備え、
前記制御部はさらに、
前記低圧電源回路の消費電力を求め、求めた前記低圧電源回路の出力電圧と、求めた前記輻射ヒータへの入力電圧と、前記画像形成装置の動作モードにより既知の力率とにより、前記低圧電源回路への入力電流値を求め、
求めた前記低圧電源回路への入力電流と、求めた前記輻射ヒータへの入力電流との合成電流を求める、請求項５〜８のいずれかに記載の画像形成装置。
【請求項１０】
前記制御部はさらに、求めた前記合成電流の値が所定値以下となるように、前記画像形成装置を制御する、請求項９に記載の画像形成装置。
【請求項１１】
前記制御部は、前記画像形成装置による印刷動作を停止させ、もしくは、印刷速度を低下させる、請求項１０に記載の画像形成装置。
【請求項１２】
前記制御部は、求めた前記輻射ヒータへの入力電圧が所定値を超える場合には、前記画像形成装置の動作を停止させ、もしくは、その旨を報知する、請求項１〜９のいずれかに記載の画像形成装置。
【発明の詳細な説明】
【技術分野】
【０００１】
本発明は、輻射ヒータを内蔵した定着器を備えた画像形成装置に関する。
【背景技術】
【０００２】
従来、上記のような画像形成装置としては、例えば下記の特許文献１に記載のものがある。特許文献１の画像形成装置は、交流電源から電力が供給されると発熱する複数の発熱体と、各発熱体の温度を検知するサーミスタと、各発熱体を流れる電流値を検知する電流検知回路と、各発熱体に供給する電力を制御することによって、各発熱体の温度を制御するＣＰＵと、を備えている。
【０００３】
ＣＰＵは、各発熱体に供給可能な電流値、電流検知回路が検知した電流値、サーミスタが検知した温度に基づき、最大供給可能電力比を算出し、算出した電力費が閾値以上であれば、発熱体の入力電圧が低下していると推定する。
【先行技術文献】
【特許文献】
【０００４】
【特許文献１】特開２０１３−２１８８４１号公報
【発明の概要】
【発明が解決しようとする課題】
【０００５】
しかしながら、特許文献１の画像形成装置では、入力電圧そのものを算出できないため、画像形成装置の電源コードに流れる電流値を適切に制御できない等の問題点があった。
【０００６】
それゆえに、本発明の目的は、入力電圧を算出可能な画像形成装置を提供することである。
【課題を解決するための手段】
【０００７】
本発明の一形態は、輻射ヒータを内蔵した定着器と、前記定着器の温度を検出可能な第一検出部と、交流電源から直流電圧を生成し降圧して、前記輻射ヒータに印加可能なヒータ用電源回路と、前記第一検出部の検出結果に基づきデューティ比を決定し、決定したデューティ比で前記ヒータ用電源回路の出力電流をＰＷＭ制御する制御部と、前記ヒータ用電源回路への入力電流の検出可能な第二検出部と、を備え、前記制御部は、前記第二検出部の検出結果と、前記輻射ヒータにおける電流と電圧との関係と、決定したデューティ比とから、前記輻射ヒータへの入力電圧を求め、求めた入力電圧に基づき、画像形成装置の動作を制御する、画像形成装置に向けられる。
【発明の効果】
【０００８】
上記形態によれば、入力電圧そのものを算出できる画像形成装置を提供可能となる。
【図面の簡単な説明】
【０００９】
【図１】画像形成装置の内部を前方から視た時の模式図である。
【図２】画像形成装置における要部を示す模式図である。
【図３】画像形成装置の動作フロー図である。
【図４】第二変形例に係る画像形成装置の動作フロー図である。
【発明を実施するための形態】
【００１０】
《第一欄：画像形成装置の全体構成・印刷動作》
図１，図２において、画像形成装置１は、例えば、複写機、プリンタまたはファクシミリ、もしくは、これらの機能を備えた複合機であって、シート状の印刷媒体（例えば用紙）にフルカラー画像を印刷する。そのために、画像形成装置１は、大略的に、給紙部２と、レジストローラ対３と、画像形成部４と、定着器５と、制御回路基板６と、電源部７と、表示部８と、を備える。
【００１１】
給紙部２には、未使用の印刷媒体が積載される。給紙部２において、いくつかのローラは、回転することで、印刷媒体を一枚ずつ、図１中に破線で示す搬送経路ＦＰに送り出す。レジストローラ対３は、搬送経路ＦＰ上であって、給紙部２の下流側に設けられる。レジストローラ対３は、給紙部２から送り出された印刷媒体を一旦停止させた後、回転することで、所定のタイミングで二次転写領域に送り出す。
【００１２】
画像形成部４は、例えば、周知の電子写真方式およびタンデム方式により、トナー画像を中間転写ベルト上に生成する。ここで、画像形成部４は、各色のトナー画像を生成すべく、周知のように、Ｙ（イエロー），Ｍ（マゼンタ），Ｃ（シアン），Ｋ（ブラック）用の感光体ドラムおよび現像ローラ等を含んでいる。
【００１３】
中間転写ベルトは、回転することで、トナー画像を担持しつつ二次転写領域に向けて搬送する。二次転写領域には、レジストローラ対３から印刷媒体が送り込まれ、また、画像形成部４からトナー画像が搬送されてくる。二次転写領域において、トナー画像は中間転写ベルトから印刷媒体に転写されて、定着器５に向けて送り出される。
【００１４】
定着器５には、二次転写領域から印刷媒体が導入される。定着器５では、内蔵の加熱ローラおよび加圧ローラが回転することで、導入された印刷媒体は、両ローラで形成されるニップの間を通過する。通過中、印刷媒体は加熱・加圧され、その結果、トナーが印刷媒体上に定着する。定着器５を送り出された印刷媒体は、画像形成装置１のトレイ上に印刷物として排出される。
【００１５】
画像形成装置１には、上記の構成各部を回転させるために、複数のモータＭが備わる。図１では五個のモータＭ１〜Ｍ５が例示される。各モータＭ１〜Ｍ５が回転させる構成は、以下の表１に示す通りである。
【００１６】
【表１】
0006524435.tif 000002
【００１７】
制御回路基板６には、ＣＰＵ，ＲＯＭ，ＲＡＭ等が、制御部ＣＣ２として実装される。ＣＰＵは、ＲＯＭに格納されたプログラムを、ＲＡＭを作業領域として使いながら実行する。制御部ＣＣ２は、各種モータＭの回転を制御する。他にも、制御部ＣＣ２は、様々な制御を行うが、本実施形態で重要であるのは、輻射ヒータ５３への入力電圧Ｖｉｎを求めることである。
【００１８】
電源部７は、例えば商用の交流電源Ｖａｃと接続され、交流電源Ｖａｃから入力された交流電圧から、例えば、＋２４Ｖの定電圧Ｖｃ１、＋５Ｖの定電圧Ｖｃ２、および、輻射ヒータ５３に供給すべき電圧Ｖｉｎを生成する。定電圧Ｖｃ１は、例えば各種モータＭ等に供給され、定電圧Ｖｃ２は、例えば制御部ＣＣ２等に供給される。
【００１９】
表示部８は、例えばタッチパネル等であり、制御部ＣＣ２で生成された各種情報を表示する。
【００２０】
《第二欄：画像形成装置の要部の詳細な構成》
次に、図２を参照して、本実施形態の要部、つまり、定着器５、制御回路基板６および電源部７の構成について説明する。
図２に示すように、定着器５は、互いに当接してニップを形成する加熱ローラ５１および加圧ローラ５２を備える。両ローラ５１，５２は、画像形成装置１の前後方向に延在しており、制御部ＣＣ２からの制御信号に基づき回転する。
【００２１】
加熱ローラ５１は、上記前後方向に延在する筒状の芯金を有する。芯金の厚さや外径を適宜設定することで、加熱ローラ５１を低熱容量化することが好ましい。
また、加熱ローラ５１において、芯金の内部には、輻射ヒータ５３が内蔵される。輻射ヒータ５３は、典型的にはハロゲンヒータであって、光加熱方式によるヒータである。また、輻射ヒータ５３は、前後方向に所定の発光長（例えば３１０ｍｍ程度）を有し、例えば１０００Ｗ以上の消費電力を有する。
【００２２】
上記のような輻射ヒータ５３は、後述のヒータ用電源回路７２により電圧Ｖｉｎが印加されると、典型的にはタングステンからなるフィラメントに電流Ｉｉｎｈが流れ、フィラメントが発熱し点灯する。ここで、周知の通り、タングステンの抵抗率は、周囲温度が高くなると大きくなる。換言すると、輻射ヒータ５３は、周囲温度が高くなると抵抗値が大きくなるという抵抗−温度特性を有する。
【００２３】
以上の加熱ローラ５１の近傍には、例えばサーミスタである第一検出部Ｓ１が備わる。検出部Ｓ１は、加熱ローラ５１の温度に相関する信号（便宜上、以下、単に温度という）ＴＥＭＰを制御部ＣＣ２に出力する。
【００２４】
電源部７は、大略的には、低圧電源回路７１と、ヒータ用電源回路７２と、を含む。
低圧電源回路７１は、大略的に、第一ヒューズＦ１と、第一全波整流回路７１１と、アクティブフィルタ７１２と、第一ＤＣ／ＤＣコンバータ７１３と、第二ＤＣ／ＤＣコンバータ７１４と、電流検出用の第一抵抗Ｒ１および第二抵抗Ｒ２と、電源制御回路ＣＣ１と、を含む。
【００２５】
全波整流回路７１１は、四個の整流ダイオードＤ１〜Ｄ４を有するダイオードブリッジであり、交流電源ＶａｃのＬ端子（つまり、ライブ端子）にヒューズＦ１を介して接続されると共に、交流電源ＶａｃのＮ端子（つまり、ニュートラル端子）に接続される。このような全波整流回路７１１は、交流電源Ｖａｃから供給される交流電圧を全波整流する。
【００２６】
アクティブフィルタ７１２において、スイッチング素子Ｑ１がオンされると、リアクトルＬ１にエネルギーが蓄えられる。また、スイッチング素子Ｑ１がオフにされると、リアクトルＬ１のエネルギーによりコンデンサＣ１が充電され、その結果、コンデンサＣ１の両端電圧Ｖｄｃは例えば４００Ｖの定電圧に制御される。これにより、低圧電源回路７１の入力力率を向上させている。
【００２７】
ＤＣＤＣコンバータ７１３において、スイッチング素子Ｑ２がオンにされると、スイッチングトランスＴ１の一次側に電流が流れ、コアにエネルギーが蓄えられる。しかし、整流ダイオードＤ１６の向きが逆方向であるため、二次側には誘導電流は流れない。それに対し、スイッチング素子Ｑ２をオフにすることで、コアに蓄えられたエネルギーが開放され、整流ダイオードＤ１６を介して電流が流れる。また、コンデンサＣ２により、電流が平滑化されて、定電圧Ｖｃ１が出力される。
【００２８】
ＤＣＤＣコンバータ７１４では、ＤＣＤＣコンバータ７１３と同様、スイッチング素子Ｑ３がオンになると、スイッチングトランスＴ２の一次側のみに電流が流れて、コアにエネルギーが蓄えられる。逆に、スイッチング素子Ｑ２がオフになると、コアのエネルギーが開放されて、整流ダイオードＤ１４を電流が流れる。また、コンデンサＣ３により電流が平滑化されて、定電圧Ｖｃ２が出力される。
【００２９】
また、抵抗Ｒ１は、整流ダイオードＤ１６と＋２４Ｖ端子との間に、抵抗Ｒ２は、整流ダイオードＤ１４と＋５Ｖ端子との間に、接続される。抵抗Ｒ１，抵抗Ｒ２を流れる電流の一部は電流Ｉ２４Ｖ，Ｉ５Ｖとして電源制御回路ＣＣ１に入力される。
電源制御回路ＣＣ１は、入力電流Ｉ２４Ｖ，ＩＶ５の値に、＋２４Ｖ，＋５Ｖを乗算した値（つまり、低圧電源回路７１の消費電力）を表す信号Ｐｏｕｔを制御部ＣＣ２に出力する。
【００３０】
ヒータ用電源回路７２は、大略的に、第二ヒューズＦ２と、第二全波整流回路７２１と、降圧チョッパ回路７２２と、第三全波整流回路７２３と、平滑回路７２４と、を含む。
【００３１】
全波整流回路７２１は、四個の整流ダイオードＤ５〜Ｄ８を有するダイオードブリッジであり、上記Ｌ端子にヒューズＦ２を介して接続され、上記Ｎ端子に接続される。かかる全波整流回路７２１は、交流電源Ｖａｃからの交流電圧を全波整流する。
【００３２】
降圧チョッパ回路７２２には、負荷である輻射ヒータ５３が接続される。降圧チョッパ回路７２２では、ヒータ制御回路ＣＣ３は、制御部ＣＣ２からの、パルス幅とデューティ比とを示す制御信号ＰＷＭＲに従って、スイッチング素子Ｑ３をオンオフする。ここで、パルス幅は、ある周波数で等間隔となる。かかる制御信号ＰＷＭＲにより、全波整流回路７２１からの直流電流は、等間隔パルス幅変調されて出力される。以下、等間隔パルス幅変調にてチョッピングされた直流電流を、輻射ヒータ５３への入力電流Ｉｉｎｈという。スイッチング素子Ｑ３がオンになると、リアクトルＬ２および輻射ヒータ５３に電流Ｉｉｎｈが流れる。この間、リアクトルＬ２は、自身を流れる電流Ｉｉｎｈの一部を磁気エネルギーとして蓄える。
【００３３】
一方、スイッチング素子Ｑ３がオフになると、リアクトルＬ２に蓄えられた磁気エネルギーが電流Ｉｉｎｈとして放出されて輻射ヒータ５３に流れ始める。この電流Ｉｉｎｈは、ダイオードＤ１５を介してコイルＬ２に戻る。
【００３４】
以上のようなヒータ用電源回路７２の動作により、輻射ヒータ５３への入力電流Ｉｉｎｈの波形は擬似的に正弦波となると共に、入力電流Ｉｉｎｈと入力電圧Ｖｉｎの間の力率であって、ヒータ用電源回路７２の力率が概ね１００％となる。
【００３５】
また、ヒューズＦ２と全波整流回路７２１とを接続する電源ラインには、第二検出器Ｓ２としてのコイルが設けられる。具体的には、コイルを電源ラインが貫くように配置される。電源ラインに交流電流が流れると、コイルの両端には、交流電流に相関する誘導起電力が生じる。換言すると、第二検出器Ｓ２は、ヒータ用電源回路７２への入力電流を検出している。
なお、第二検出器Ｓ２は、他にも、前述の全波整流回路７２１よりも後段に設けられても良い。換言すると、ヒータ用電源回路７２で生成されたＰＷＭ電流を検出しても良い。
【００３６】
全波整流回路７２３は、四個のダイオードＤ９〜Ｄ１２を有するダイオードブリッジであって、第二検出器Ｓ２により印加された誘導起電力を全波整流して、平滑回路７２４に出力する。
【００３７】
入力電流Ｉｉｎｈを測定するには、交流電源Ｖａｃの周波数（５０Ｈｚや６０Ｈｚ）に相当する周期（２０ｍｓや約１６．７ｍｓ）よりも十分長い周期で平均値または実効値を求める必要がある。そこで、平滑回路７２４は、一次遅れ回路であって、全波整流回路７２３の出力電圧から、ヒータ用電源回路７２への入力電流の平均値または実効値を求めて、いずれかの値を表す信号ＩＨとして制御部ＣＣ２に出力する。
【００３８】
《第三欄：画像形成装置の要部の動作》
次に、図３等を参照して、本実施形態の要部の動作について説明する。
まず、画像形成装置１の電源が投入されると、周知のウォームアップ動作が開始される（Ｓ０１）。その後、画像形成装置１に印刷ジョブが外部のパーソナルコンピュータ等（図示せず）から届くと、印刷ジョブの実行を開始すると共に、定着温度制御を行う（Ｓ０２）。
【００３９】
以下、定着温度制御を概説する。
印刷ジョブの開始後、制御部ＣＣ２は、検出部Ｓ１の検出温度ＴＥＭＰに基づくＰＩＤ制御（Ｐｒｏｐｏｒｔｉｏｎａｌ−Ｉｎｔｅｇｒａｌ−Ｄｅｒｉｖａｔｉｖｅ制御）等により、デューティ比を決定する。その後、制御部ＣＣ２は、前述の制御信号ＰＷＭＲを生成し、ヒータ制御回路ＣＣ３に出力する。ヒータ制御回路ＣＣ３は、入力制御信号ＰＷＭＲに従ってスイッチング素子Ｑ３をオンオフし、これによって、輻射ヒータ５３には電流Ｉｉｎｈ供給される。かかる温度制御により、輻射ヒータ５３の温度が目標温度で略一定にされる。
【００４０】
ところで、印刷ジョブの開始後、所定時間（例えば、約０．５秒）が経過すると、輻射ヒータ５３の抵抗値は安定し、入力電流Ｉｉｎｈも安定する。その後、制御部ＣＣ２は、平滑回路７２４の出力信号ＩＨから、入力電流Ｉｉｎｈの平均値または実効値を求める（Ｓ０３）。
【００４１】
ここで、輻射ヒータ５３の入力電流Ｉｉｎｈと入力電圧Ｖｉｎとの関係は、その定格入力電圧をＶｉｎｒとし、その定格入力電流Ｖｉｎｒとすると、次式（１）で表されることが知られている。
Ｉｉｎｈ／Ｉｉｎｒ＝（Ｖｉｎ／Ｖｉｎｒ）0.54  …（１）
上式（１）を変形すると、次式（１’）が得られる。
Ｉｉｎｈ＝Ｉｉｎｒ×（Ｖｉｎ／Ｖｉｎｒ）0.54  …（１’）
【００４２】
また、輻射ヒータ５３の定格電力をＷｒとすると、定格入力電圧Ｖｉｎｒを印加時の定格入力電流Ｉｉｎｒは、次式（２）で求められる。
Ｉｉｎｒ＝Ｗｒ／Ｖｉｎｒ  …（２）
【００４３】
また、ＰＷＭ制御時におけるデューティ比をＤとし、デューティ比がＤの時の入力電流をＩｉｎｈ（Ｄ）とし、さらに、ヒータ用電源回路７２の効率をηｈとすると、Ｉｉｎｈ（Ｄ）は次式（３）で表される。
Ｉｉｎｈ（Ｄ）＝Ｉｉｎｈ×（（Ｖｉｎ×Ｄ×ηｈ）／Ｖｉｎｒ）0.54  （３）
また、上式（３）を変形すると、次式（３’）となる。
【００４４】
【数２】
0006524435.tif 000003
【００４５】
既知のＶｉｎｒ，Ｖｉｎｒ，ηｈに関しては既知であるため、制御部ＣＣ２により予め保持される。制御部ＣＣ２は、上式（３’）に、これらＶｉｎｒ，Ｖｉｎｒ，ηｈと、ＰＷＭ制御で設定されるＤと、入力信号ＩＨから得られるＩｉｎｈと、を代入して、入力電圧Ｖｉｎを求める（Ｓ０４）。
【００４６】
また、低圧電源回路７１の効率をηｌｖとし、その力率をｃｏｓφｌｖとし、電源制御回路ＣＣ１の消費電力（つまり、信号Ｐｏｕｔが示す値）をＰｏｕｔとすると、低圧電源回路７１への入力電流Ｉｉｎｌｖは、次式（４）で表される。
Ｉｉｎｌｖ＝Ｐｏｕｔ／（ηｌｖ×ｃｏｓφｌｖ×Ｖｉｎ）  …（４）
ここで、ηｌｖ，ｃｏｓφｌｖは既知であるため、制御部ＣＣ２により予め保持される。制御部ＣＣ２は、上式（４）に、既知のηｌｖ，ｃｏｓφｌｖと、信号ＩＨが示すＰｏｕｔと、上式（３’）から求められるＶｉｎとを代入して、Ｉｉｎｌｖを求める（Ｓ０５）。
【００４７】
また、交流電源Ｖａｃと接続される、画像形成装置１の電源コードに流れる合成電流Ｉｉｎは、次式（５）で表される。
Ｉｉｎ＝Ｉｉｎｈ＋Ｉｉｎｌｖ
＝Ｉｉｎｈ＋Ｐｏｕｔ／（ηｌｖ×ｃｏｓφｌｖ×Ｖｉｎ）  …（５）
制御部ＣＣ２は、上式（５）に、入力信号ＩＨから得られるＩｉｎｈと、上式（４）から求められるＩｉｎｈとを代入して、Ｉｉｎを求める（Ｓ０６）。
【００４８】
次に、制御部ＣＣ２は、求めた合成電流Ｉｉｎが交流電源Ｖａｃの定格電流値である１５Ａを超えるか否かを判断する（Ｓ０７）。
【００４９】
Ｎｏであれば、制御部ＣＣ２は、Ｓ０３に戻るが、Ｙｅｓであれば、低圧電源回路７１および／またはヒータ用電源回路７２の負荷電流を下げる（Ｓ０８）。本実施形態では、例えば、低圧電源回路７１の負荷電流を下げるべく、連続する二枚の印刷媒体の間隔を大きくする。他にも、合成電流Ｉｉｎの値によっては、印刷自体を停止したり、印刷媒体の搬送速度（つまり、画像形成装置１のシステム速度）を下げたりしても良い。
【００５０】
以上のＳ０８が終わると、制御部ＣＣ２は、Ｓ０３に戻る。
【００５１】
《第四欄：画像形成装置の効果》
以上説明したように、本画像形成装置１によれば、輻射ヒータ５３に流れる電流Ｉｉｎｈを検出することで、入力電圧Ｖｉｎそのものを算出できる。また、算出した入力電圧Ｖｉｎから、ヒータ用電源回路７２に並列接続された低圧電源回路７１への入力電流Ｉｉｎｌｖを求めることができる。これらに基づき、画像形成装置１の電源コードに流れる電流値Ｉｉｎを交流電源Ｖａｃの定格電流以下になるように、本画像形成装置１は適切に制御できる。
【００５２】
《第五欄：付記》
なお、第二検出器Ｓ２は、上記の通り、ヒータ用電源回路７２への入力電流を検出している。この入力電流が過大になった時、制御部ＣＣ２は、制御信号ＰＷＭＲが示すデューティ比を小さくして、入力電流を抑制しても良い。
【００５３】
また、効率ηｌｖおよび力率ｃｏｓφｌｖは、＋２４Ｖ端子または＋５Ｖ端子に接続される負荷に流れる電流Ｉ２４Ｖ，Ｉ５Ｖにより変化する。よって、それぞれの負荷電流に対するηｌｖおよびｃｏｓφｌｖの特性を予め実測し、その実測結果を表すテーブルを制御部ＣＣ２に格納する。制御部ＣＣ２は、入力信号Ｐｏｕｔにより現在の負荷電流Ｉ２４Ｖ，Ｉ５Ｖを得ると、テーブルから対応するηｌｖおよびｃｏｓφｌｖを取得して式（４）に代入するようにしても良い。
【００５４】
《第六欄：第一変形例》
上記実施形態では、輻射ヒータ５３の定格電力Ｗｒが一定であるとして説明した。しかし、通常、輻射ヒータ５３の定格電力Ｗｒには±３％程度の固体差がある。この個体差を補償すべく、例えば、生産ラインにおいて、輻射ヒータ５３の抵抗値が安定後に、製造業者は、定格入力電圧の印加時のヒータ用電源回路７２への入力電流Ｉｉｎｒを測定して、制御部ＣＣ２に格納する。かかる入力電流値Ｉｉｎｒを、制御部ＣＣ２はＳ０４で使用する。
【００５５】
《第七欄：第二変形例》
また、図４に示すように、制御部ＣＣ２は、Ｓ０４で求めた入力電圧Ｖｉｎが画像形成装置１の使用範囲外である場合には（Ｓ０１０）、画像形成装置１の動作保証が出来ない旨を表示部８に表示したり、画像形成装置１の動作を停止させたりしても良い（Ｓ０１１）。
【産業上の利用可能性】
【００５６】
本発明に係る画像形成装置は、入力電圧を算出可能であり、プリンタ等に好適である。
【符号の説明】
【００５７】
１  画像形成装置
５  定着器
５３  輻射ヒータ
Ｓ１  第一検出部
Ｓ２  第二検出部
ＣＣ２  制御部
７  電源部
７１  低圧電源回路
７２  ヒータ用電源回路
７２４  平滑回路
８  表示部
【図１】
0006524435.tif 000005
【図２】
0006524435.tif 000006
【図３】
0006524435.tif 000007
【図４】
0006524435.tif 000008